(57)【特許請求の範囲】
【請求項１】
フロント部と、該フロント部の両端部に蝶番を介して連結される一対のテンプルと、一対のレンズを備えて前記フロント部の裏側に取り付けられる枠体とを備えてなる眼鏡フレームであって、
前記枠体は、前記レンズを枠に取り付ける方法がナイロール式であり、
前記枠は、一定ではない曲率を備えて前記レンズに沿って湾曲し、下部にノーズパッドを備えるとともに上端部が前記レンズの上部に位置し、かつ、その長さが前記レンズの全周に対して４分の１から５分の１であることを特徴とする眼鏡フレーム。
【請求項２】
前記枠体が、前記フロント部のブリッジに、ねじ止めされていることを特徴とする請求項１に記載の眼鏡フレーム。
【請求項３】
前記枠体が、前記フロント部のブリッジに、溶着されていることを特徴とする請求項１に記載の眼鏡フレーム。
【請求項４】
前記フロント部が、前記レンズの全外周形状に略等しい枠状部を備えてなることを特徴とする請求項１乃至３の何れか１項に記載の眼鏡フレーム。
【請求項５】
前記フロント部が、前記レンズの上部外周形状に略等しい枠状部を備えてなることを特徴とする請求項１乃至３の何れか１項に記載の眼鏡フレーム。
【発明の詳細な説明】
【技術分野】
【０００１】
本発明は眼鏡フレームに関し、特に、テンプルを備えるフロント部に、レンズを備える枠体を取り付ける構造とすることにより、レンズの取り付け方法を容易にするとともに、多彩なデザインを施すことができる眼鏡フレームに関する。
【背景技術】
【０００２】
一般的な眼鏡フレームは、レンズを備えるフロント部の両端部に、蝶番を介してテンプルが連結されている。フロント部には、レンズの全周が枠で囲まれるフルリムタイプや、レンズの上部のみが枠で囲まれて、高張力糸を用いて取り付けられるハーフリムタイプが多く用いられている。レンズと枠との接合部では、レンズの外周断面が凸状となるように形成され、枠の内周断面が凹状となるように形成され、これによって、レンズが枠の内側に嵌め込まれるように形成されている。
【０００３】
フルリムタイプの眼鏡フレームは、レンズの全外周が枠で囲まれるので、正確に加工された場合には、外力に対して最も丈夫な構造である。しかしながら、微妙な誤差を生じ易く、枠からレンズが脱離することも少なくない。特に、ハイカーブなレンズを用いる場合には、正確な加工が非常に難しくなる。これに対して、ハーフリムタイプの眼鏡フレームでは、枠が上半部となるため、ハイカーブなレンズを用いる場合でもレンズ及び枠の加工が比較的容易となる。
【０００４】
ハーフリムタイプの眼鏡フレームは、例えば特許文献１に、一般的な構造が記載されている。図６に示すように、この眼鏡フレーム１０１は、そのフロント部１１０が、ブリッジ１１１で連結された一対の枠１１２で構成され、夫々の枠１１２にレンズ１４０が取り付けられている。フロント部１１０の両端部には、智１１３が形成され、ここに蝶番１２０を介してテンプル１３０が連結されている。なお、ブリッジ１１１の近傍には、ノーズパッド１５０が設けられている。
【０００５】
図７に示すように、レンズ１４０は、高張力糸１４５を用いて枠１１２に取り付けられている。枠１１２のブリッジ１１１の側には、ノーズパッド１５０を取り付ける箇所が必要である。また、枠１１２のテンプル１３０の側には、智１１３を取り付ける箇所が必要である。したがって、ハーフリムタイプの眼鏡フレーム１０１において、枠１１２の長さは、レンズ１４０の全外周の半分程度必要ということになる。
【０００６】
ハーフリムタイプの眼鏡フレームは、フルリムタイプに比べてレンズと枠との接合部が少なくなるために、接合部における加工作業量が低減される。出来るものならば、さらにこの加工作業量を低減させることが好ましい。しかしながら、枠にはブリッジ及び智を取り付けなければならないので、従来のフレーム形状では、接合部での加工作業量を低減させることはできない。
【先行技術文献】
【特許文献】
【０００７】
【特許文献１】特開２０００−２４１７７１号公報
【発明の概要】
【発明が解決しようとする課題】
【０００８】
この発明が解決しようとする課題は、ハーフリムタイプの眼鏡フレームであって、レンズと枠との接合部の長さを短くすることにより、接合部におけるレンズと枠との相対的な精密加工について、その加工作業量を低減し、レンズの取り付け作業を容易にすることを目的とする。同時に、多彩なデザインを施すことができる眼鏡フレームを提供することを目的とする。
【課題を解決するための手段】
【０００９】
本発明の請求項１に係る眼鏡フレームは、フロント部と、該フロント部の両端部に蝶番を介して連結される一対のテンプルと、一対のレンズを備えて前記フロント部の裏側に取り付けられる枠体とを備えてなる眼鏡フレームであって、前記枠体は、前記レンズを枠に取り付ける方法がナイロール式であり、前記枠は、一定ではない曲率を備えて前記レンズに沿って湾曲し、下部にノーズパッドを備えるとともに上端部が前記レンズの上部に位置し、かつ、その長さが前記レンズの全周に対して４分の１から５分の１である手段を採用している。
【００１０】
また、本発明の請求項２に係る眼鏡フレームは、請求項１に記載の眼鏡フレームであって、前記枠体が、前記フロント部のブリッジに、ねじ止めされている手段を採用している。また、本発明の請求項３に係る眼鏡フレームは、請求項１に記載の眼鏡フレームであって、前記枠体が、前記フロント部のブリッジに、溶着されている手段を採用している。また、本発明の請求項４に係る眼鏡フレームは、請求項１乃至３の何れか１項に記載の眼鏡フレームであって、前記フロント部が、前記レンズの全外周形状に略等しい枠状部を備えてなる手段を採用している。さらに、本発明の請求項５に係る眼鏡フレームは、請求項１乃至３の何れか１項に記載の眼鏡フレームであって、前記フロント部が、前記レンズの上部外周形状に略等しい枠状部を備えてなる手段を採用している。
【発明の効果】
【００１１】
本発明の眼鏡フレームは、両端部に蝶番を介してテンプルが連結されるフロント部と、一対のレンズが取り付けられる枠体とを、別体とすることにより、レンズと枠との接合部を短くすることができる。したがって、接合部におけるレンズと枠との相対的な精密加工について、その加工作業量を低減することができ、レンズを取り付ける作業を容易にすることができる。そして、フロント部と枠体とを別体に形成することにより、また、ハイカーブなレンズを用いることにより、多彩なデザインを施すことができる。
【図面の簡単な説明】
【００１２】
【図１】本発明の眼鏡フレームの一例を示す概略正面図であって、外見をフルリムタイプに見せ掛けている。
【図２】図１の眼鏡フレームの概略平面図である。
【図３】図１の眼鏡フレームの概略斜視図である。
【図４】本発明の眼鏡フレームの他の例を示す概略正面図であって、外見をハーフリムタイプに見せ掛けている。
【図５】図１の眼鏡フレームの要部を拡大して示す概略斜視図である。
【図６】従来のハーフリムタイプの眼鏡フレームの一例を示す概略斜視図である。
【図７】図６に示す眼鏡フレームの一部詳細図である。
【発明を実施するための形態】
【００１３】
図１〜図３及び図５は、本発明の実施形態の一例である眼鏡フレーム１を示しており、図１は概略正面図、図２は概略平面図、図３は概略斜視図である。また、図５は、眼鏡フレーム１の要部を拡大した概略斜視図である。
眼鏡フレーム１は、フロント部１０と、フロント部１０の両端部に蝶番２０を介して連結される一対のテンプル３０と、一対のレンズ４０を備えてフロント部１０の裏側に取り付けられる枠体６０を備えてなるものである。すなわち、フロント部１０と枠体６０とが別体に形成されている。
【００１４】
フロント部１０は、一対の枠状部１２がブリッジ１１により連結されて形成され、枠状部１２の両端部には、夫々智１３が形成されている。そして、智１３から蝶番２０を介してテンプル３０が連結されている。図１に示すように、フロント部１０の形状はフルリムタイプであるかのように形成されているが、実は、枠状部１２にはレンズ４０が取り付けられていない。テンプル３０は、本体部３１とモダン３２により形成されている。
【００１５】
枠体６０は、図５に詳しく記載されているように、一対の枠６２が中央部６１により連結されて形成されており、これらの枠６２には、夫々レンズ４０が取り付けられている。また、これらの枠６２にはノーズパッド５０が取り付けられている。そして、枠体６０の中央部６１には、凸部６５が形成されている。一方、フロント部１０のブリッジ１１には、凸部６５に対応して凹部１５が形成されている。
【００１６】
中央部６１の凸部６５をブリッジ１１の凹部１５に挿入することによって、枠体６０をフロント部１０の裏側に取り付けて一体とすることができる。このとき、溶着や接着により完全に固定することもできる。しかしながら、使用後のレンズ交換などを考慮して、図５に示すように、ねじ６９を用いて固定しておき、必要なときに分解可能としておくことが好ましい。
【００１７】
本発明において、枠体６０の枠６２にレンズ４０を取り付ける方法は、ナイロール式を採用している。ナイロール式とは、高張力糸を使用して取り付ける方法であって、通常のハーフリムタイプで採用されている方法である。図６及び図７で説明したように、通常のハーフリムタイプでは、智１１３を取り付ける箇所として、枠１１２を長く形成する必要がある。しかし、本発明の眼鏡フレーム１では、枠６２に智１３を取り付ける必要がないために、枠６２を短く形成することができる。
【００１８】
すなわち、図５に示すように、枠６２の長さは、レンズ４０の全周に対して４分の１から５分の１程度となっている。このように、レンズ４０と枠６２との接合部が短くなるために、接合部におけるレンズ４０と枠６２との相対的な精密加工について、加工作業量を低減することができる。ナイロール式によりレンズ４０を枠６２に取り付けることは極めて容易であり、このようにして、本発明の目的を達成することができる。
【００１９】
本発明の眼鏡フレーム１は、テンプル３０が連結されるフロント部１０と、レンズ４０が取り付けられる枠体６０とを、別体に形成したことを特徴としている。これにより、多彩なデザインを施すことが可能である。眼鏡フレーム１では、枠状部１２の形状を、レンズ４０の全外周形状に略等しい形状とした。これによって、眼鏡フレーム１は、図１に示すように、その外見をフルリムタイプの眼鏡フレームであるかのように見せ掛けている。
【００２０】
図４は、本発明の別の実施形態である眼鏡フレーム２を示している。この眼鏡フレーム２は、その外見をハーフリムタイプの眼鏡フレームであるかのように見せ掛けている。すなわち、眼鏡フレーム２では、枠状部１２の形状を、レンズ４０の上部外周形状に略等しい形状としたものである。それ以外は、全て眼鏡フレーム１と同一である。
【００２１】
このように、本発明の眼鏡フレームは、レンズと枠との接合部を短くして、レンズと枠との相対的な精密加工について加工作業量を低減し、レンズの取り付け作業を容易にすることができる。また、その外見を、フルリムタイプに見せ掛けることも、ハーフリムタイプに見せ掛けることも可能であり、また、ハイカーブなレンズを用いることができるので多彩なデザインを施すことができる。
【符号の説明】
【００２２】
１、２、１０１    眼鏡フレーム
１０、１１０    フロント部
１１、１１１    ブリッジ
１２    枠状部
１３、１１３    智
１５    凹部
２０、１２０    蝶番
３０、１３０    テンプル
３１    本体部
３２    モダン
４０、１４０    レンズ
５０、１５０    ノーズパッド
６０    枠体
６１    中央部
６２、１１２    枠
６５    凸部
６９    ねじ
１４５    高張力糸
【図１】
0005826475.tif 000002
【図２】
0005826475.tif 000003
【図３】
0005826475.tif 000004
【図４】
0005826475.tif 000005
【図５】
0005826475.tif 000006
【図６】
0005826475.tif 000007
【図７】
0005826475.tif 000008